(57)【要約】【課題】点灯状態が異常である光源が存在する場合における光源の制御を行う。【解決手段】制御部３０は、複数の光源５０の各々を順次点灯させる点灯処理を行う。センサ１４は、複数の光源５０の各々から出射される光の量である出射光量を検出する。制御部３０は、センサ１４により検出される、各光源５０の出射光量に基づいて、複数の光源５０において点灯状態が異常である点灯異状光源が存在するか否かを判定する。制御部３０は、点灯異状光源が存在する場合、当該点灯異状光源への電流供給を停止するための処理を行う。【選択図】図５
2014229966.tif 000002
【特許請求の範囲】
【請求項１】
電流が供給されることにより発光する複数の光源へ電流を供給する投写型映像表示装置であって、
前記複数の光源から構成される光源アレイと、
前記複数の光源の各々を順次点灯させる点灯処理を行う制御部と、
前記複数の光源の各々から出射される光の量である出射光量を検出するセンサと、を備え、
前記制御部は、さらに、
（ａ）前記センサにより検出される、各前記光源の出射光量に基づいて、前記複数の光源において点灯状態が異常である点灯異状光源が存在するか否かを判定し、
（ｂ）前記点灯異状光源が存在する場合、該点灯異状光源への電流供給を停止するための処理を行う
投写型映像表示装置。
【請求項２】
前記投写型映像表示装置は、前記光源アレイから出射される光を利用して生成された、映像を構成する映像光を、予め定められたタイミングで出射し、
前記制御部は、前記映像光が出射されない期間である映像ブランキング期間において、前記点灯処理を行う
請求項１に記載の投写型映像表示装置。
【請求項３】
前記複数の光源は、電気的に並列に接続される
請求項１または２に記載の投写型映像表示装置。
【請求項４】
前記投写型映像表示装置は、前記光源アレイを複数備え、
前記複数の光源アレイの各々は、異なる色の光を出射し、
前記制御部は、前記点灯異状光源が存在する場合、さらに、前記複数の光源アレイのうち、該点灯異状光源を含む光源アレイである点灯異状光源アレイ以外の光源アレイにおいて、該点灯異状光源アレイに含まれる該点灯異状光源の位置と同じ位置の光源への電流供給を停止するための処理を行う
請求項１〜３のいずれか１項に記載の投写型映像表示装置。
【請求項５】
前記制御部は、前記点灯異状光源が存在する場合、前記複数の光源のうち該点灯異状光源以外の光源である正常光源へ供給する電流の量を、該正常光源の定格電流を超えないように、増加させる処理を行う
請求項１〜４のいずれか１項に記載の投写型映像表示装置。
【発明の詳細な説明】
【技術分野】
【０００１】
本発明は、光源から出射される光の量を使用した処理を行う投写型映像表示装置に関する。
【背景技術】
【０００２】
従来、光源が出射した照明光を画像信号に基づいて変調、合成することにより生成された光を、スクリーンに投影することにより、スクリーン上に映像表示を行う投写型映像表示装置がある。装置の小型化、低消費電力化および光源の長寿命化の要求の高まりから、投写型映像表示装置において、従来の放電ランプに代わる光源としてＬＥＤ（Light Emitting Diode：発光ダイオード）が近年広く使われるようになってきている。
【０００３】
投写型映像表示装置は、例えば、赤色、緑色および青色の３原色の光をそれぞれ発する３個のＬＥＤからなる光源からの照明光を、ダイクロイックミラーまたはダイクロイックプリズム等によって合成する。そして、投写型映像表示装置は、当該合成により得られた光を、ＤＭＤ（Digital Micromirror Device）等の画像表示素子によって映像光に変調してカラー映像を投写している。
【０００４】
このような投写型映像表示装置に用いられる光源としては、発光部が１個のＬＥＤで構成されたもの、複数のＬＥＤが配列されたＬＥＤアレイで構成されたもの等がある。ＬＥＤアレイを使用する場合、個々のＬＥＤが点灯しているかを検知してＬＥＤを点灯させる電流を制御する必要がある。しかしながら、電流の制御のために、駆動回路にＬＥＤの点灯検出機能を搭載すると、当該駆動回路の回路規模が大きくなるという問題があった。
【０００５】
ここで、投写型映像表示装置の光源として、ＬＥＤアレイを用いることを想定する。また、１個のＬＥＤアレイは、一例として、６個のＬＥＤにより構成されているとする。この場合、６個のＬＥＤに対し、独立した駆動回路が存在することが望ましい。しかしながら、回路規模、コストを鑑みると、当該６個のＬＥＤは、まとめて駆動回路に接続されることが多い。駆動回路に６個のＬＥＤを直列に接続する構成においては、ひとつのＬＥＤが故障した場合、全てのＬＥＤが不点灯となる。そのため、複数のＬＥＤは、電気的に並列に接続されることが望ましい。
【０００６】
しかしながら、複数のＬＥＤを並列に接続した場合、ひとつのＬＥＤが開放故障して電流が流れなくなった場合、残りのＬＥＤに供給される電流が増加してしまう。以下においては、複数の光源（例えば、ＬＥＤ）が、電気的に並列に接続された構成を、並列接続構成ともいう。
【０００７】
並列接続構成において、開放故障を検出するには、ＬＥＤアレイを構成する各ＬＥＤに対し、電流検出回路を設ける構成が必要である。電流検出回路を設ける構成とした場合、各ＬＥＤを駆動させる駆動回路の回路規模が大きくなりコストも増加する。
【０００８】
一方で、並列接続構成において、短絡故障は容易に検出できる。当該短絡故障の検出には、例えば、ＬＥＤと直列に接続された電圧検出抵抗の印加電圧が使用される。また、電圧検出抵抗に電流制限回路を接続することで短絡故障の発生時にＬＥＤが拡大破損することなく運用を続けることができる。このように短絡故障の対策は開放故障と比べ簡単で、駆動回路内に検出回路を持つことが容易である。
【０００９】
上記のように、複数の光源（ＬＥＤ）を使用した構成においては、様々な技術がある。例えば、特許文献１には、複数の光源を使用した構成において、故障した光源を検出する技術（以下、関連技術Ａともいう）が開示されている。具体的には、関連技術Ａでは、複数のＬＤ（Laser Diode）から構成されるＬＤアレイにおいて、ＬＤが故障した場合、故障の状態をユーザに報知する。
【００１０】
特許文献２には、複数の光源を使用した構成において、各光源へ供給する電力を制御する技術（以下、関連技術Ｂともいう）が開示されている。具体的には、関連技術Ｂでは、光源の発光効率に基づいて、各光源への投入電力を制御する。これにより、発光効率を向上させることができる。
【先行技術文献】
【特許文献】
【００１１】
【特許文献１】特開２００９−２３７４８３号公報
【特許文献２】特開２００９−１６９３４８号公報
【発明の概要】
【発明が解決しようとする課題】
【００１２】
しかしながら、関連技術Ａでは、以下のような問題点がある。具体的には、関連技術Ａは、光源が故障した場合、報知を行うのみであり、点灯状態が異常である光源が存在する場合における光源の制御については考慮されていないという問題がある。なお、関連技術Ｂでは、点灯状態が異常である光源が存在する場合における光源の制御については開示されていない。
【００１３】
本発明は、このような問題を解決するためになされたものであり、点灯状態が異常である光源が存在する場合における光源の制御を行うことが可能な投写型映像表示装置を提供することを目的とする。
【課題を解決するための手段】
【００１４】
上記目的を達成するために、本発明の一態様に係る投写型映像表示装置は、電流が供給されることにより発光する複数の光源へ電流を供給する。前記投写型映像表示装置は、前記複数の光源から構成される光源アレイと、前記複数の光源の各々を順次点灯させる点灯処理を行う制御部と、前記複数の光源の各々から出射される光の量である出射光量を検出するセンサと、を備え、前記制御部は、さらに、（ａ）前記センサにより検出される、各前記光源の出射光量に基づいて、前記複数の光源において点灯状態が異常である点灯異状光源が存在するか否かを判定し、（ｂ）前記点灯異状光源が存在する場合、該点灯異状光源への電流供給を停止するための処理を行う。
【発明の効果】
【００１５】
本発明によれば、制御部は、複数の光源の各々を順次点灯させる点灯処理を行う。センサは、前記複数の光源の各々から出射される光の量である出射光量を検出する。前記制御部は、前記センサにより検出される、各前記光源の出射光量に基づいて、前記複数の光源において点灯状態が異常である点灯異状光源が存在するか否かを判定する。前記制御部は、該点灯異状光源が存在する場合、該点灯異状光源への電流供給を停止するための処理を行う。
【００１６】
これにより、点灯異状光源が存在する場合における光源の制御を行うことができる。
【図面の簡単な説明】
【００１７】
【図１】本発明の実施の形態１に係る投写型映像表示装置の構成を示す図である。
【図２】本発明の実施の形態１に係る光源アレイの構成を示す図である。
【図３】光源アレイおよび光源駆動回路の詳細な構成を示す図である。
【図４】投写型映像表示装置を制御するための点灯パルス等を説明するための図である。
【図５】光源制御処理Ｎのフローチャートである。
【図６】光源制御処理Ａのフローチャートである。
【図７】光源制御処理Ｂのフローチャートである。
【発明を実施するための形態】
【００１８】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１９】
＜実施の形態１＞
本発明の実施の形態１について、図を用いて以下に説明する。図１は、本発明の実施の形態１に係る投写型映像表示装置１０００の構成を示す図である。図１を参照して、投写型映像表示装置１０００は、照明光学系１２０と、投写光学系１３０と、制御部３０とを備える。
【００２０】
照明光学系１２０は、詳細は後述するが、光源を有する。投写光学系１３０は、照明光学系１２０から出射される照明光を利用して、映像を構成する映像光を生成する。また、投写光学系１３０は、映像光を、スクリーン（図示せず）に投写する。制御部３０は、照明光学系１２０を制御する。
【００２１】
次に、照明光学系１２０、投写光学系１３０および制御部３０の各々について詳細に説明する。
【００２２】
照明光学系１２０は、光源アレイ４０Ｒ，４０Ｇ，４０Ｂと、コリメータレンズ群７Ｒ，７Ｇ，７Ｂと、ダイクロイックミラー８Ｒ，８Ｇ，８Ｂと、コンデンサーレンズ群９と、光源駆動回路３１Ｒ，３１Ｇ，３１Ｂとを含む。
【００２３】
光源アレイ４０Ｒ，４０Ｇ，４０Ｂは、３原色の照明光を出射する。具体的には、光源アレイ４０Ｒは、赤色光を出射する。光源アレイ４０Ｇは、緑色光を出射する。光源アレイ４０Ｂは、青色光を出射する。すなわち、光源アレイ４０Ｒ，４０Ｇ，４０Ｂの各々は、異なる色の光を出射する。
【００２４】
光源アレイ４０Ｒ，４０Ｇ，４０Ｂは、時系列的に、赤色光、緑色光および青色光を出射する。すなわち、光源アレイ４０Ｒ，４０Ｇ，４０Ｂは、赤色光、緑色光および青色光を、順次、出射する。以下においては、光源アレイ４０Ｒ，４０Ｇ，４０Ｂの各々を、総括的に、光源アレイ４０ともいう。
【００２５】
図２に示すように、各光源アレイ４０は、光源５０−１，５０−２，５０−３，５０−４，５０−５，５０−６から構成される。以下においては、光源５０−１，５０−２，５０−３，５０−４，５０−５，５０−６の各々を、総括的に、光源５０とも表記する。すなわち、光源アレイ４０は、６個の光源５０を含む。つまり、光源アレイ４０は、ｍ（２以上の整数）個の光源５０を含む。光源５０は、ＬＥＤである。光源５０は、電流が供給されることにより発光する。光源５０は、２つの端子を有する。
【００２６】
なお、各光源アレイ４０を構成する光源５０の数は、６に限定されず、２〜５，７以上であってもよい。なお、光源５０は、ＬＥＤに限定されず、例えば、レーザであってもよい。
【００２７】
以下においては、光を出射している光源５０を、点灯光源ともいう。また、以下においては、点灯状態が異常である光源５０を、点灯異状光源ともいう。また、以下においては、発光不能な点灯異状光源を、発光不能光源ともいう。
【００２８】
制御部３０の制御に従い、光源駆動回路３１Ｒ，３１Ｇ，３１Ｂは、それぞれ、光源アレイ４０Ｒ，４０Ｇ，４０Ｂを駆動させる。光源駆動回路３１Ｒ，３１Ｇ，３１Ｂの各々は、定電流回路である。以下においては、光源駆動回路３１Ｒ，３１Ｇ，３１Ｂの各々を、総括的に、光源駆動回路３１とも表記する。
【００２９】
各光源駆動回路３１は、駆動対象の光源アレイ４０へ供給する電流の合計値が、常に一定になるように、制御部３０により制御される。そのため。各光源アレイ４０において、点灯している光源５０（点灯光源）の個数に関わらず、常に同じ電流値の電流が、供給される。
【００３０】
ここで、例えば、光源駆動回路３１Ｒが、１２（Ａ）（アンペア）の電流を、光源アレイ４０Ｒへ供給するとする。この場合、光源アレイ４０Ｒにおいて、６個の光源５０が点灯する場合、各光源５０には、２（Ａ）の電流が流れる。また、光源アレイ４０Ｒにおいて、１個の光源５０が開放故障して、５個の光源５０が点灯している場合、各光源５０には、２．４（Ａ）の電流が流れる。
【００３１】
光源５０の故障としては、短絡故障および開放故障が存在する。短絡故障とは、光源５０が有する２つの端子が短絡した故障である。開放故障とは、光源５０が有する２つの端子が開放状態となった故障である。
【００３２】
以下においては、開放故障した光源５０を、開放故障光源ともいう。また、以下においては、短絡故障した光源５０を、短絡故障光源ともいう。開放故障光源および短絡故障光源は、発光不能な点灯異状光源（発光不能光源）である。
【００３３】
再び、図１を参照して、前述したように、光源アレイ４０Ｒ，４０Ｇ，４０Ｂは、それぞれ、赤色光、緑色光および青色光を出射する。赤色光、緑色光および青色光は、光源アレイ４０Ｒ，４０Ｇ，４０Ｂにより、時系列的に出射される。
【００３４】
コリメータレンズ群７Ｒ，７Ｇ，７Ｂは、それぞれ、赤色光、緑色光および青色光を略平行に整形する。
【００３５】
ダイクロイックミラー８Ｒ，８Ｇ，８Ｂは、略平行に整形された３種類の照明光を選択的に反射または透過させることにより、当該３種類の照明光を１つの光路に合成する。
【００３６】
コンデンサーレンズ群９は、１つの光路に合成された各照明光を集光し、当該集光された光（合成光）を、投写光学系１３０へ出射する。
【００３７】
投写光学系１３０は、インテグレータ素子１０と、リレーレンズ群１１と、ＴＩＲ（Total Internal Reflection）プリズム１２と、画像表示素子１３と、センサ１４と、投写レンズ２０とを含む。
【００３８】
インテグレータ素子１０は、例えば、ライトトンネル、ガラスロッド等である。インテグレータ素子１０は、コンデンサーレンズ群９から出射される合成光（照明光）の照度分布を均一化させ、当該均一化した合成光を、リレーレンズ群１１へ出射する。
【００３９】
リレーレンズ群１１は、レンズおよび反射ミラーから構成される。リレーレンズ群１１は、インテグレータ素子１０から出射される赤色、緑色、青色の合成光を、ＴＩＲプリズム１２に照射する。
【００４０】
ＴＩＲプリズム１２は、当該ＴＩＲプリズム１２の内部に光を全反射する面を有する。ＴＩＲプリズム１２は、照射された光を、画像表示素子１３へ伝播させる。
【００４１】
画像表示素子１３は、照射された光と、外部から入力される映像信号とに基づいて、映像を構成する映像光を生成する。すなわち、画像表示素子１３は、インテグレータ素子１０から出射された光であって、かつ、リレーレンズ群１１およびＴＩＲプリズム１２を通過した光を変調することにより映像光を生成する。画像表示素子１３は、例えば、ＤＭＤである。なお、画像表示素子１３に入力される映像信号は、複数のフレーム（静止画像）から構成される映像を示す信号である。
【００４２】
そして、画像表示素子１３は、当該映像光を、投写レンズ２０およびセンサ１４へ出射する。
【００４３】
投写レンズ２０は、画像表示素子１３から出射される映像光を、スクリーン（図示せず）に向けて投影する。
【００４４】
センサ１４は、照射される映像光の光量を検出する機能を有する。センサ１４は、映像光の輝度の補正を行うために、一般的に、投写型映像表示装置１０００に搭載されている。
【００４５】
以下においては、映像信号が示す、ある１フレームが処理対象とされる期間を、１フレーム期間ともいう。ここで、例えば、投写型映像表示装置１０００が投写する映像光が、１秒間に６０枚のフレームを示す構成であるとする。この場合、１フレーム期間は、１／６０秒である。
【００４６】
センサ１４には、例えば、１フレーム期間において、１パルス以上に対応する光が照射される。これにより、センサ１４は、光量を検出する。
【００４７】
前述したように、光源アレイ４０Ｒ，４０Ｇ，４０Ｂは、赤色光、緑色光および青色光を、順次、出射する。そのため、センサ１４は、赤色の映像光の光量、緑色の映像光の光量および青色の映像光の光量を検出することができる。センサ１４は、検出した光量を示す光量情報を、継続的に、制御部３０へ送信する。
【００４８】
次に、光源アレイ４０および光源駆動回路３１の詳細な構成について説明する。図３は、光源アレイ４０および光源駆動回路３１の詳細な構成を示す図である。
【００４９】
前述したように、光源アレイ４０は、光源５０−１，５０−２，５０−３，５０−４，５０−５，５０−６を含む。光源５０−１，５０−２，５０−３，５０−４，５０−５，５０−６は、電気的に並列に接続される。前述したように、各光源５０は、２つの端子を有する。光源５０がＬＥＤである場合、光源５０の一方の端子は、アノードであり、光源５０の他方の端子は、カソードである。
【００５０】
以下においては、電圧における低電圧状態および高電圧状態を、それぞれ、ＨレベルおよびＬレベルともいう。また、ＨレベルおよびＬレベルを、それぞれ、単に、「Ｈ」および「Ｌ」ともいう。
【００５１】
光源駆動回路３１は、端子Ｔ１１，Ｔ１２と、スイッチ部３２０と、電流制限部３３０と、検出抵抗３４−１，３４−２，３４−３，３４−４，３４−５，３４−６と、スイッチ部３５０とを含む。
【００５２】
光源駆動回路３１は、端子Ｔ１１，Ｔ１２を利用して、電流Ｉｆを、光源アレイ４０へ供給する。すなわち、光源駆動回路３１は、光源アレイ４０を構成する複数の光源５０へ一括して電流を供給する。
【００５３】
光源５０−１，５０−２，５０−３，５０−４，５０−５，５０−６の一端は、端子Ｔ１１と電気的に接続されている。
【００５４】
スイッチ部３２０は、スイッチ３２−１，３２−２，３２−３，３２−４，３２−５，３２−６を含む。スイッチ３２−１，３２−２，３２−３，３２−４，３２−５，３２−６は、それぞれ、光源５０−１，５０−２，５０−３，５０−４，５０−５，５０−６の他端と電気的に接続されている。
【００５５】
以下においては、スイッチ３２−１，３２−２，３２−３，３２−４，３２−５，３２−６の各々を、総括的に、スイッチ３２とも表記する。スイッチ３２は、外部からの制御により、導通状態（オン状態）および非導通状態（オフ状態）のいずれかの状態になる。スイッチ３２は、例えば、パワーＭＯＳＦＥＴ（Metal-Oxide-Semiconductor Field-Effect Transistor）である。以下においては、オン状態およびオフ状態を、それぞれ、オンおよびオフともいう。
【００５６】
電流制限部３３０は、詳細は後述するが、スイッチ部３２０に対し、複数の光源５０へ過電流が供給されることを制限（防止）するための制御を行う。少し具体的には、電流制限部３３０は、光源５０へ供給される電流の電流値が所定の定格値以下になるようスイッチ部３２０を制御する。
【００５７】
電流制限部３３０は、電流制限回路３３−１，３３−２，３３−３，３３−４，３３−５，３３−６を含む。電流制限回路３３−１，３３−２，３３−３，３３−４，３３−５，３３−６は、それぞれ、スイッチ３２−１，３２−２，３２−３，３２−４，３２−５，３２−６と接続される。
【００５８】
以下においては、電流制限回路３３−１，３３−２，３３−３，３３−４，３３−５，３３−６の各々を、単に、電流制限回路３３とも表記する。また、以下においては、電流制限回路３３に接続されているスイッチ３２に接続されている光源５０を、電流制限回路３３に対応する光源５０ともいう。例えば、電流制限回路３３−１に接続されているスイッチ３２−１に接続されている光源５０−１は、電流制限回路３３−１に対応する光源５０である。
【００５９】
電流制限回路３３は、当該電流制限回路３３に対応する光源５０に流れる最大電流を、所定の定格電流以下になるように制御する。電流制限回路３３は、仮に、当該電流制限回路３３に対応する光源５０が短絡故障した場合、当該光源５０に流れる電流が、定格電流以下になるように、スイッチ３２を制御する。ここで、定格電流とは、当該定格電流が光源５０に流れても、当該光源５０が破損しない電流値を有する電流である。すなわち、定格電流は、光源５０を正常に駆動させるための電流である。
【００６０】
また、電流制限回路３３は、当該電流制限回路３３に対応する光源５０が短絡故障したか否かを検出可能なように構成される。なお、制御部３０は、各光源駆動回路３１の状態を常に監視している。そのため、光源駆動回路３１において光源５０の短絡故障が検出された場合、短絡故障が発生した旨を把握する。
【００６１】
検出抵抗３４−１，３４−２，３４−３，３４−４，３４−５，３４−６の一端は、それぞれ、スイッチ３２−１，３２−２，３２−３，３２−４，３２−５，３２−６と電気的に接続されている。また、検出抵抗３４−１，３４−２，３４−３，３４−４，３４−５，３４−６の他端は、スイッチ部３５０と電気的に接続されている。
【００６２】
スイッチ部３５０は、スイッチ３５−１，３５−２，３５−３，３５−４，３５−５，３５−６を含む。スイッチ３５−１，３５−２，３５−３，３５−４，３５−５，３５−６は、それぞれ、検出抵抗３４−１，３４−２，３４−３，３４−４，３４−５，３４−６の他端と電気的に接続されている。
【００６３】
以下においては、検出抵抗３４−１，３４−２，３４−３，３４−４，３４−５，３４−６の各々を、総括的に、検出抵抗３４とも表記する。また、以下においては、検出抵抗３４において生じる電圧を、検出電圧ともいう。また、以下においては、スイッチ３５−１，３５−２，３５−３，３５−４，３５−５，３５−６の各々を、総括的に、スイッチ３５とも表記する。スイッチ３５は、光源駆動回路３１の制御により、導通状態（オン状態）および非導通状態（オフ状態）のいずれかの状態になる。
【００６４】
次に、光源５０が短絡故障した場合における電流制限回路３３の動作について簡単に説明する。ここで、前述したように、光源５０−１〜５０−６は電気的に並列に接続されている。そのため、例えば、光源５０−１が短絡故障した場合、光源５０−１〜５０−６全体に供給されていた電流Ｉｆが、検出抵抗３４−１のみに流れ、検出抵抗３４−１の検出電圧が上昇する。検出電圧が、所定の閾値を越えた場合、電流制限回路３３は、が短絡故障したことを検出する。
【００６５】
電流制限回路３３は、光源５０が短絡故障したことを検出した場合、スイッチ３２をオフにする。これにより、短絡故障した光源５０に対応する検出抵抗３４に流れる電流の量が制限される。すなわち、電流制限回路３３は、光源５０が短絡故障したことを検出した場合、スイッチ３２をオフにすることにより、当該電流制限回路３３に対応する、短絡故障した光源５０に過電流が流れることを防止する。
【００６６】
ここで、一例として、光源５０−１が短絡故障したとする。この場合、電流制限回路３３−１は、検出抵抗３４−１の検出電圧が所定の閾値を超えたことにより、光源５０−１が短絡故障したことを検出する。この場合、電流制限回路３３−１は、スイッチ３２−１をオフにすることにより、当該電流制限回路３３−１に対応する光源５０−１に、電流が集中して流れことを防止する。すなわち、電流制限回路３３−１は、短絡故障した光源５０−１が破損することを防止する。
【００６７】
なお、電流制限回路３３−２，３３−３，３３−４，３３−５，３３−６の各々も、対応する光源５０が短絡故障した場合、上記の電流制限回路３３−１と同様な機能を有する。
【００６８】
なお、光源駆動回路３１の構成は、図３に示す構成に限定されない。光源駆動回路３１の構成は、他の構成であってもよい。
【００６９】
制御部３０は、光源駆動回路３１を利用して、各光源アレイ４０に含まれる光源５０−１，５０−２，５０−３，５０−４，５０−５，５０−６の各々を、点灯または消灯させることができる。また、制御部３０は、各光源アレイ４０に含まれる点灯光源の数を記憶する記憶領域を有する。以下においては、光源アレイ４０または光源５０が出射する出射光量ともいう。
【００７０】
次に、各光源アレイ４０を構成する各光源５０を制御するための処理（以下、光源制御処理Ｎともいう）について説明する。
【００７１】
図４は、投写型映像表示装置１０００を制御するための点灯パルス等を説明するための図である。図４において、横軸は、時間を示す。
【００７２】
図４において、「映像フレーム」とは、複数のフレーム（静止画像）から構成されるフレーム群である。「１フレーム」とは、１番目のフレームである。「１フレーム」を示す四角は、投写型映像表示装置１０００において１番目のフレームが処理対象となっている期間である。「２フレーム」とは、２番目のフレームである。
【００７３】
また、図４において、信号「ＳＧ−Ｒ」、「ＳＧ−Ｇ」、「ＳＧ−Ｂ」は、それぞれ、光源アレイ４０Ｒ，４０Ｇ，４０Ｂを制御するための信号である。
【００７４】
以下においては、信号「ＳＧ−Ｒ」において、文字列「ＰＲ」が示されるパルスを、パルスＰＲともいう。すなわち、パルスＰＲは、信号「ＳＧ−Ｒ」において、文字列「ＰＲ」が示される期間であって、かつ、Ｈレベルが継続している期間である。また、信号「ＳＧ−Ｒ」において、文字列「ＳＲ」が示されるパルスを、パルスＳＲともいう。すなわち、パルスＳＲは、文字列「ＳＲ」が示される期間であって、かつ、Ｈレベルが継続している期間である。
【００７５】
また、以下においては、信号「ＳＧ−Ｇ」において、文字列「ＰＧ」が示されるパルスを、パルスＰＧともいう。また、以下においては、信号「ＳＧ−Ｇ」において、文字列「ＳＧ」が示されるパルスを、パルスＳＧともいう。また、以下においては、信号「ＳＧ−Ｂ」において、文字列「ＰＢ」が示されるパルスを、パルスＰＢともいう。また、以下においては、信号「ＳＧ−Ｂ」において、文字列「ＳＢ」が示されるパルスを、パルスＳＢともいう。
【００７６】
パルスＰＲは、例えば、あるフレーム（例えば、１フレーム）の処理対象期間のうち、光源アレイ４０Ｒが、赤色光を出射する期間である。パルスＰＧは、例えば、あるフレーム（例えば、１フレーム）の処理対象期間のうち、光源アレイ４０Ｇが、緑色光を出射する期間である。パルスＰＢは、例えば、あるフレーム（例えば、１フレーム）の処理対象期間のうち、光源アレイ４０Ｂが、青色光を出射する期間である。
【００７７】
すなわち、投写型映像表示装置１０００は、光源アレイ４０から出射される光（例えば、赤色光、緑色光、青色光）を利用して投写光学系１３０により生成された映像光を、予め定められたタイミングで出射する。
【００７８】
パルスＳＲ，ＳＧ，ＳＢは、センサ１４により光量を検出するために利用されるパルスである。また、パルスＳＲ，ＳＧ，ＳＢの期間は、対応するフレームを構成する映像光を、投写型映像表示装置１０００が出射しない映像ブランキング期間である。すなわち、映像ブランキング期間は、ｕ（自然数）番目のフレームを処理するための期間のうち、投写型映像表示装置１０００により当該ｕ番目のフレームが表示されていない期間である。
【００７９】
例えば、図４において、１フレームに対応するパルスＳＲ，ＳＧ，ＳＢの各々の期間は、映像ブランキング期間である。すなわち、映像ブランキング期間は、映像光が出射されない期間である。
【００８０】
また、パルスＳＲ，ＳＧ，ＳＢの各々の期間は、人間が認識できないほどの非常に短い時間である。パルスＳＲ，ＳＧ，ＳＢの各々の期間は、例えば、１秒間に６０枚のフレームが処理される場合、例えば、１／６０秒の０．１倍の時間である。
【００８１】
次に、光源制御処理Ｎについて具体的に説明する。光源制御処理Ｎは、要約すれば、映像ブランキング期間において、各光源アレイ４０を構成するｍ個の光源５０の各々を順次発光させる。すなわち、定期的に発生する映像ブランキング期間において、光源５０−１，５０−２，５０−３，５０−４，５０−５，５０−６の順で、光源５０を１個ずつ点灯させる。これにより、各光源５０の状態を把握する。
【００８２】
以下においては、光源５０−１，５０−２，５０−３，５０−４，５０−５，５０−６の各々を、総括的に、光源５０−ｎ（自然数）とも表記する。また、以下においては、光源５０−ｎを、ｎ番目の光源５０ともいう。例えば、ｎが２である場合、光源５０−ｎは、２番目の光源５０である。また、以下においては、点灯光源の個数を、点灯光源数ｋまたはｋとも表記する。ｋは、１≦ｋ≦ｍを満たす整数である。
【００８３】
なお、各光源アレイ４０において、点灯予定の光源５０の数が予め決められている。以下においては、各光源アレイ４０における点灯予定の光源５０の数を、初期点灯光源数ｋ０またはｋ０とも表記する。ｋ０は、１≦ｋ０≦ｍを満たす整数である。
【００８４】
例えば、各光源アレイ４０において、ｋ０がｍ未満の場合、投写型映像表示装置１０００における電力消費を抑えることができる。すなわち、投写型映像表示装置１０００の運用状況によっては、ｋ０＜ｍの場合もある。そのため、光源５０の状態を確認する処理としては、光源アレイ４０において、実際に点灯している点灯光源の点灯状態を確認する。
【００８５】
以下においては、各光源アレイ４０において、予め点灯させない光源５０を、非点灯光源ともいう。ｋ０がｍ未満の場合、各光源５０−ｎにおいて、ｎの値が大きい光源５０−ｎから順に、非点灯光源の数だけ、非点灯光源に設定される。例えば、非点灯光源の数が１の場合、光源５０−６が非点灯光源に設定される。また、例えば、非点灯光源の数が２の場合、光源５０−６，５０−５が非点灯光源に設定される。
【００８６】
制御部３０は、光源アレイ４０Ｒ，４０Ｇ，４０Ｂの各々における初期点灯光源数ｋ０を予め記憶している。なお、各光源アレイ４０を構成する全ての光源５０を点灯させる場合、ｋ０＝ｍである。
【００８７】
図５は、光源制御処理Ｎのフローチャートである。ここで、一例として、各光源アレイ４０を構成する光源５０の数ｍは、６であるとする。
【００８８】
ここで、点灯光源数ｋについては、最低個数ｋｍｉｎを、閾値として設定する。最低個数ｋｍｉｎは、光源アレイ４０において最低限必要な点灯光源の個数である。ｋｍｉｎは、例えば、ｍの３０〜６０％の範囲の整数に設定される。点灯光源数ｋが、ｋｍｉｎ未満となった時点で、光源アレイ４０の状態を、エラー状態と判定する。エラー状態とは、光源アレイ４０の出射光量が、例えば、点灯異状光源（発光不能光源）が存在しない光源アレイ４０の出射光量の１０〜４０％未満となった状態である。エラー状態と判定された光源アレイ４０は消灯される。
【００８９】
次に、光源制御処理Ｎについて具体的に説明する。なお、光源制御処理Ｎでは、開放故障を検出する。すなわち、光源制御処理Ｎでは、開放故障光源が検出される。以下においては、光源制御処理Ｎにおいて処理対象となる光源アレイ４０を、対象光源アレイともいう。
【００９０】
なお、一例として、光源アレイ４０Ｒ，４０Ｇ，４０Ｂのうち、光源アレイ４０Ｒに対し行われる光源制御処理Ｎが行われるとする。すなわち、図４のパルスＳＲ（映像ブランキング期間）の期間に行われる光源制御処理Ｎについて説明する。この場合、光源アレイ４０Ｒは、対象光源アレイである。また、光源制御処理Ｎの開始時点では、ｎは１に設定される。
【００９１】
映像ブランキング期間になったタイミングにおいて、光源制御処理Ｎの処理が開始される。映像ブランキング期間になったタイミングは、例えば、パルスＳＲの立ち上がりのタイミングである。
【００９２】
ステップＳ１１０では、制御部３０が、点灯光源数ｋの値を、対象光源アレイに対応するｋ０に設定する。
【００９３】
なお、前述したように、光源５０−１〜５０−６は、電気的に並列に接続される。そのため、仮に、光源５０−１〜５０−６のうちの１つの光源５０を点灯させた場合、当該１つの光源５０には、定格電流を超える多くの電流が供給されることになる。そこで、当該１つの光源５０に過電流が流れることを防ぐために、以下の電流制御処理Ｎが行われる。
【００９４】
ステップＳ１２０では、電流制御処理Ｎが行われる。電流制御処理Ｎでは、制御部３０が、光源駆動回路３１を利用して、電流Ｉｆの電流値を１／ｋ０倍にする制御を行う。
【００９５】
以下においては、初めての電流制御処理Ｎが行われる前における電流Ｉｆを、電流Ｉｆ０とも表記する。また、以下においては、電流制御処理Ｎにより電流値が減少された電流Ｉｆを、減少電流ともいう。減少電流は、Ｉｆ０の１／ｋ０倍の電流である。
【００９６】
以上の電流制御処理Ｎにより、光源アレイ４０（対象光源アレイ）には、減少電流が供給される。
【００９７】
なお、光源制御処理Ｎにおける２回目のステップＳ１２０の処理において、既に、光源アレイ４０に減少電流が供給されている場合、電流制御処理Ｎでは、電流Ｉｆの電流値を１／ｋ０倍にする処理は行われない。
【００９８】
ステップＳ１３０では、制御部３０が、光源駆動回路３１を利用して、ｎ番目の光源５０を点灯させる制御を行う。これにより、ｎ番目の光源５０が出射した光は、センサ１４に照射される。なお、ｎ番目の光源５０が発光不能光源である場合、センサ１４には、光が照射されない。
【００９９】
ステップＳ１３１では、光量検出処理が行われる。光量検出処理では、センサ１４が、ｎ番目の光源５０の出射光量を検出する。そして、センサ１４は、検出した出射光量を示す光量情報を、制御部３０へ送信する。なお、ｎ番目の光源５０が発光不能光源である場合、光量情報が示す出射光量は、ほぼ０である。
【０１００】
ステップＳ１４０では、ｎ番目の光源５０が点灯しているか否かが判定される。例えば、ｎ番目の光源５０が、開放故障光源でないか否かが判定される。
【０１０１】
具体的には、制御部３０が、光源駆動回路３１によりｎ番目の光源５０が短絡故障したと検出されてなく、かつ、受信した光量情報が示す出射光量が、所定の閾値ＴＨ１以上であるか否かを判定する。
【０１０２】
閾値ＴＨ１には、点灯光源から光が出射されている場合において、センサ１４に照射される最低限の光量が設定される。閾値ＴＨ１は、例えば、初めて駆動される光源５０の出射光量の０．１倍の値が設定される。
【０１０３】
ステップＳ１４０においてＹＥＳならば、処理は後述のステップＳ１６０へ移行する。一方、ステップＳ１４０においてＮＯならば、処理はステップＳ１４１へ移行する。ステップＳ１４０でＮＯの場合、ｎ番目の光源５０は開放故障光源である。すなわち、ステップＳ１４０でＮＯの場合、発光不能な点灯異状光源（開放故障光源）が存在する。つまり、ステップＳ１４０の処理により、発光不能な点灯異状光源（開放故障光源）が存在するか否かが判定される。
【０１０４】
ステップＳ１４１では、電流供給停止処理が行われる。電流供給停止処理では、制御部３０が、光源駆動回路３１を利用して、ｎ番目の光源５０への電流供給を停止させる。
【０１０５】
ステップＳ１４０，Ｓ１４１の処理により、制御部３０は、発光不能な点灯異状光源が存在する場合、該点灯異状光源への電流供給を停止するための処理を行う。
【０１０６】
ステップＳ１４２では、制御部３０が、処理対象の光源アレイ４０における点灯光源数ｋの値を１デクリメントする。
【０１０７】
ステップＳ１４３では、制御部３０が、対象光源アレイに対応する最新の点灯光源数ｋが、最低個数ｋｍｉｎ未満であるか否かを判定する。ステップＳ１４３においてＹＥＳならば、処理はステップＳ１５０へ移行する。一方、ステップＳ１４３においてＮＯならば、処理はステップＳ１７０へ移行する。
【０１０８】
ステップＳ１５０では、エラー処理が行われる。エラー処理では、光源（対象光源アレイ）が故障している旨を報知する処理が行われる。エラー処理では、例えば、制御部３０が、ｎ番目の光源５０が故障している旨を示すメッセージ等を示す映像光を出射するための処理を行う。また、制御部３０は、光源駆動回路３１を利用して、対象光源アレイを消灯させる。
【０１０９】
ステップＳ１７０では、制御部３０が、最新のｎが、対象光源アレイに対応する初期点灯光源数ｋ０であるか否かを判定する。ステップＳ１７０においてＹＥＳならば、処理は後述のステップＳ１８０へ移行する。一方、ステップＳ１７０においてＮＯならば、処理はステップＳ１７１へ移行する。
【０１１０】
ここでは、ｎはｋ０でないとして、ステップＳ１７１の処理が行われるとする。
【０１１１】
ステップＳ１７１では、制御部３０が、ｎを１インクリメントする。そして、再度、ステップＳ１１０の処理が行われる。
【０１１２】
なお、ステップＳ１４０においてＹＥＳの場合（ｎ番目の光源５０が点灯している場合）、処理はステップＳ１６０へ移行する。
【０１１３】
ステップＳ１６０では、制御部３０が、光源駆動回路３１を利用して、ｎ番目の光源５０を消灯させる制御を行う。
【０１１４】
ステップＳ１６１では、電流制御処理Ｒが行われる。電流制御処理Ｒでは、光源アレイ４０に供給されている電流を、Ｉｆ０に戻す。具体的には、制御部３０が、光源駆動回路３１を利用して、電流値が減少された電流Ｉｆの電流値をｋ０倍にする制御を行う。そして、処理はステップＳ１７０へ移行する。
【０１１５】
なお、ステップＳ１３０の処理がｋ０回行われることにより、制御部３０は、対象光源アレイを構成する複数の光源の各々を順次点灯させる点灯処理を行う。なお、ステップＳ１３０の処理を含む光源制御処理Ｎは、映像ブランキング期間において行われる。すなわち、制御部３０は、映像ブランキング期間において、上記の点灯処理を行う。
【０１１６】
また、ステップＳ１３１の処理がｋ０回行われることにより、センサ１４は、対象光源アレイを構成する複数の光源の各々から出射される光の量である出射光量を検出する。また、ステップＳ１４０の処理がｋ０回行われることにより、制御部３０は、センサ１４により検出される、各光源５０の出射光量に基づいて、対象光源アレイを構成する複数の光源において発光不能な点灯異状光源が存在するか否かを判定する。
【０１１７】
ここで、ステップＳ１４０の処理が、ｋ０回行われたとする。この場合、ステップＳ１７０でＹＥＳと判定され、処理はステップＳ１８０へ移行する。
【０１１８】
ステップＳ１８０では、電流制御処理ＲＡが行われる。電流制御処理ＲＡでは、光源アレイ４０に供給されている電流を、Ｉｆ０に設定する。具体的には、制御部３０が、光源駆動回路３１を利用して、電流Ｉｆを、以下の式１により算出された電流に設定する。
【０１１９】
Ｉｆ＝Ｉｆ０×ｋ／ｋ０  …（式１）
式１のｋ，ｋ０は、対象光源アレイに対応する値である。
【０１２０】
つまり、対象光源アレイにおいて発光不能な点灯異状光源が存在しない状態で電流制御処理ＲＡが行われた場合、光源アレイ４０（対象光源アレイ）に供給される電流は、電流制御処理Ｎが行われる前の電流Ｉｆ０に戻る。
【０１２１】
すなわち、対象光源アレイにおいて発光不能な点灯異状光源が存在する場合、当該点灯異状光源への電流の供給を停止（遮断）する。また、点灯異状光源が存在する場合、さらに、各光源５０に供給される電流が、電流制御処理Ｎが行われる前と同じになるように、光源アレイ４０（対象光源アレイ）に供給する電流Ｉｆが、式１により得られる電流となるように制御される。すなわち、対象光源アレイを構成する複数の光源５０のうち点灯異状光源以外の光源５０へ供給される電流が制御される。
【０１２２】
以上により、光源制御処理Ｎが終了する。なお、図４のパルスＳＧ（映像ブランキング期間）の期間においては、対象光源アレイを光源アレイ４０Ｇとして、光源制御処理Ｎが行われる。また、パルスＳＢ（映像ブランキング期間）の期間においては、対象光源アレイを光源アレイ４０Ｂとして、光源制御処理Ｎが行われる。これにより、１フレーム期間に含まれる映像ブランキング期間において、光源アレイ４０Ｒ，４０Ｇ，４０Ｂの各々に対し、光源制御処理Ｎが行われる。すなわち、１フレーム期間経過毎に、映像ブランキング期間において、光源アレイ４０Ｒ，４０Ｇ，４０Ｂの各々に対し、光源制御処理Ｎが行われる。つまり、光源制御処理Ｎは、複数の映像ブランキング期間の各々において、毎回行われる。
【０１２３】
以上説明したように、本実施の形態によれば、制御部３０は、複数の光源５０の各々を順次点灯させる点灯処理を行う。センサ１４は、複数の光源５０の各々から出射される光の量である出射光量を検出する。制御部３０は、センサ１４により検出される、各光源５０の出射光量に基づいて、複数の光源５０において点灯状態が異常である点灯異状光源が存在するか否かを判定する。制御部３０は、点灯異状光源が存在する場合、当該点灯異状光源への電流供給を停止するための処理を行う。
【０１２４】
これにより、点灯異状光源が存在する場合における光源の制御を行うことができる。
【０１２５】
また、本実施の形態によれば、各光源アレイ４０を構成する複数の光源５０を順次点灯させる。そして、各光源５０の点灯状態を検出する。これにより、点灯異状光源（開放故障光源）を検出する。したがって、例えば、光源５０を駆動させる光源駆動回路３１内に、別途、点灯異状光源（開放故障光源）を検出するための回路を設ける必要がない。そのため、光源駆動回路３１の回路規模が大きくなることを防ぐことができる。すなわち、投写型映像表示装置１０００の製造コストの増加を防ぐことができる。
【０１２６】
なお、投写型映像表示装置には、通常、映像の輝度補正を行うための、光量を検出するセンサが搭載されている。そこで、本実施の形態では、投写型映像表示装置に通常搭載されているセンサを活用して、各光源アレイ４０を構成する複数の光源５０の点灯状態を確認し、各光源アレイ４０の点灯制御を行う。
【０１２７】
そのため、光源５０を駆動させる光源駆動回路３１には、点灯異状光源（開放故障光源）を検出するための故障検出回路が不要となる。すなわち、新たに故障検出回路を設ける必要がない。
【０１２８】
その結果、光源駆動回路３１の回路規模を小さくできるうえ、部品を共用できる。そのため、追加コストを払わずに、点灯異状光源（開放故障光源）の検出が可能となるメリットが生じる。言い換えれば、追加コストを払わずに、各光源アレイ４０を構成する各光源５０の点灯状態を検出し、点灯制御を行うことができる。
【０１２９】
なお、光源の点灯状態の確認方法としては、映像表示中に、随時、検出処理を行う方法がある。この方法では、検出処理中の映像輝度の低下を抑えるために、光源アレイを構成する各光源を順次消灯させることで、各光源の状態を確認する。
【０１３０】
一方、本実施の形態では、点灯状態を検出するタイミングを映像ブランキング期間とし、且つ、各光源アレイ４０を構成する各光源５０を、順次、単独で点灯させる。これにより、各光源５０の点灯状態を確認する。
【０１３１】
また、本実施の形態によれば、光源制御処理Ｎは、パルスＳＲ，ＳＧ，ＳＢの各々の期間（映像ブランキング期間）において行われる。映像ブランキング期間は、映像光が出射されない期間である。そのため、映像光の輝度への影響が無い状態において、各光源の点灯状態を確認することができる。また、光源制御処理Ｎが、映像光の輝度へ影響を与えることを防ぐことができる。すなわち、点灯異状光源の検出処理中において、映像光の輝度に対する影響がないようにすることができる。例えば、光源制御処理Ｎが行われても、映像光の輝度の変化等が発生することを防ぐことができる。
【０１３２】
なお、本実施の形態では、スイッチを使用して、光源５０の点灯制御を行う構成としているが、光源５０の点灯制御は、スイッチを使用しない他の構成により行われてもよい。
【０１３３】
なお、本実施の形態では、光源アレイ４０Ｒ，４０Ｇ，４０Ｂの各々に対して行われる光源制御処理Ｎは、１フレーム期間内において、順次実行されるとした。すなわち、１回の光源制御処理Ｎは、例えば、１つのパルスＳＲの期間において実行されるとしたが、これに限定されない。１回の光源制御処理Ｎは、例えば、複数のパルスＳＲの期間にまたがって実行されてもよい。
【０１３４】
また、光源制御処理Ｎは、任意の時間間隔で実行されてもよい。光源制御処理Ｎは、数秒間または数分間経過毎に１回実行されてもよい。
【０１３５】
また、光源制御処理Ｎが、人間が認識できないほどの非常に短い時間で行われる。そのため、光源制御処理Ｎは、映像ブランキング期間でない期間に行われてもよい。この場合においても、映像光の輝度等の変化は無視できる程度に抑えることができる。
【０１３６】
＜実施の形態２＞
本発明の実施の形態２について以下に説明する。本実施の形態に係る投写型映像表示装置は、図１の投写型映像表示装置１０００である。そのため、投写型映像表示装置１０００についての詳細な説明は繰り返さない。
【０１３７】
次に、本実施の形態において、各光源アレイ４０を構成する各光源５０を制御するための処理（以下、光源制御処理Ａともいう）以下においては、光源制御処理Ａにおいて処理対象となる光源アレイ４０を、対象光源アレイともいう。
【０１３８】
図６は、光源制御処理Ａのフローチャートである。図６において、図５のステップ番号と同じステップ番号の処理は、実施の形態１で説明した処理と同様な処理が行われるので詳細な説明は繰り返さない。以下、実施の形態１と異なる点を中心に説明する。
【０１３９】
ここで、一例として、各光源アレイ４０を構成する光源５０の数ｍは、６であるとする。なお、光源制御処理Ａが行われるタイミングは、実施の形態１の光源制御処理Ｎが行われるタイミングと同じである。すなわち、光源制御処理Ａは、実施の形態１と同様に、光源アレイ４０Ｒ，４０Ｇ，４０Ｂの各々に対し、行われる。
【０１４０】
ステップＳ１１０〜Ｓ１４０の処理は、実施の形態１と同様なので詳細な説明は繰り返さない。
【０１４１】
以下においては、点灯異状光源を含む光源アレイ４０を、点灯異状光源アレイともいう。また、以下においては、点灯異状光源を含まない光源アレイ４０を、正常光源アレイともいう。また、以下においては、光源制御処理Ａにおいて、３つの光源アレイ４０のうち対象光源アレイでない光源アレイ４０を、非対象光源アレイともいう。例えば、光源制御処理Ａにおいて、光源アレイ４０Ｒが対象光源アレイである場合、光源アレイ４０Ｇ，４０Ｂは、非対象光源アレイである。
【０１４２】
以下においては、出射光量が、予め定めた値分だけ低下した光源５０を、光量低下光源ともいう。光量低下光源は、点灯異状光源である。光量低下光源は、例えば、出射光量が、初めて駆動される光源５０の出射光量の０．１〜０．５倍の出射光量となった光源５０である。
【０１４３】
ステップＳ１４０においてＹＥＳならば、処理はステップＳ１４０Ａへ移行する。一方、ステップＳ１４０においてＮＯならば、処理は後述のステップＳ１４１Ａへ移行する。
【０１４４】
ステップＳ１４０Ａでは、点灯異状光源である光量低下光源が存在するか否かが判定される。
【０１４５】
具体的には、制御部３０が、受信した光量情報が示す出射光量が、所定の閾値ＴＨ２未満であるか否かを判定する。閾値ＴＨ２は、初めて駆動される光源５０の出射光量の０．３〜０．５倍の値が設定される。すなわち、閾値ＴＨ２は、ステップＳ１４０の処理で使用される閾値ＴＨ１より大きい。光量情報が示す出射光量が、閾値ＴＨ２未満である場合、ｎ番目の光源５０は光量低下光源であり、光量低下光源が存在する。
【０１４６】
ステップＳ１４０ＡにおいてＹＥＳならば、処理はステップＳ１４０Ｂへ移行する。一方、ステップＳ１４０ＡにおいてＮＯならば、処理はステップＳ１６０へ移行する。
【０１４７】
ステップＳ１４０Ｂでは、制御部３０が、光源駆動回路３１を利用して、ｎ番目の光源５０を消灯させる制御を行う。
【０１４８】
ステップＳ１４０でＮＯと判定され、ステップＳ１４１Ａの処理が行われる場合、ｎ番目の光源５０（点灯異状光源）は、発光不能な発光不能光源（例えば、開放故障光源）である。ステップＳ１４０ＡでＹＥＳと判定された後、ステップＳ１４１Ａの処理が行われる場合、ｎ番目の光源５０（点灯異状光源）は、光量低下光源である。
【０１４９】
ステップＳ１４１Ａでは、電流供給停止処理Ａが行われる。電流供給停止処理Ａでは、制御部３０が、光源駆動回路３１を利用して、ｎ番目の光源５０（点灯異状光源）への電流供給を停止させる。
【０１５０】
また、さらに、制御部３０は、複数の光源アレイ４０のうち、点灯異状光源アレイ以外の光源アレイ４０において、当該点灯異状光源アレイに含まれる点灯異状光源の位置と同じ位置の光源５０への電流供給を停止するための処理を行う。すなわち、制御部３０は、光源駆動回路３１を利用して、非対象光源アレイにおいて、点灯異状光源アレイに含まれる点灯異状光源の位置と同じ位置の光源５０への電流供給を停止させる。
【０１５１】
ここで、一例として、光源アレイ４０Ｒが対象光源アレイであるとする。また、ｎ番目の光源５０は、図２の光源５０−１であるとする。
【０１５２】
この場合、電流供給停止処理Ａでは、制御部３０は、光源駆動回路３１を利用して、光源アレイ４０Ｒにおける光源５０−１への電流供給を停止させる。また、さらに、制御部３０は、光源駆動回路３１Ｇ，３１Ｂを利用して、光源アレイ４０Ｇ，４０Ｂの各々の光源５０−１への電流供給を停止させる。光源アレイ４０Ｒにおける光源５０−１の位置と、光源アレイ４０Ｇにおける光源５０−１の位置と、光源アレイ４０Ｂにおける光源５０−１の位置とは、同じ位置である。
【０１５３】
すなわち、電流供給停止処理Ａにより、光源アレイ４０Ｒ，４０Ｇ，４０Ｂの各々において、同じ位置の光源５０への電流供給が停止される。これにより、光源アレイ４０Ｒ，４０Ｇ，４０Ｂの各々において、同じ位置の光源５０が消灯する。
【０１５４】
つまり、ステップＳ１４０，Ｓ１４０Ａ，Ｓ１４１Ａの処理により、制御部３０は、点灯異状光源が存在する場合、複数の光源アレイ４０のうち、点灯異状光源アレイ以外の光源アレイ４０において、当該点灯異状光源アレイに含まれる点灯異状光源の位置と同じ位置の光源５０への電流供給を停止するための処理を行う。
【０１５５】
なお、ステップＳ１４２〜ステップＳ１６１，Ｓ１７０，Ｓ１７１，Ｓ１８０の処理は、実施の形態１と同様なので詳細な説明は繰り返さない。
【０１５６】
以上説明したように、本実施の形態によれば、実施の形態１の処理のように、故障した発光不能光源の検出に加え、出射光量が低下している光源５０（光量低下光源）を検出する。そして、検出された光量低下光源と、非対象光源アレイにおいて、点灯異状光源アレイに含まれる光量低下光源の位置と同じ位置の光源５０への電流供給を停止させる。これにより、光源アレイ４０Ｒ，４０Ｇ，４０Ｂの各々において、同じ位置の光源５０が消灯する。すなわち、ある光源アレイ４０の光源の出射光量の低下に応じて、赤、緑および青の光源アレイ４０の各々において、同じ位置の光源５０を消灯させる。
【０１５７】
その結果、各光源アレイ４０内において、点灯する光源５０の場所を常に同一にすることができる。したがって、投写型映像表示装置１０００が出射する映像光の色合いの変化と画面ユニフォミティの変化とを抑えることができる。
【０１５８】
また、本実施の形態では、実施の形態１と同様な処理も行われるため、実施の形態１と同様な効果が得られる。
【０１５９】
＜実施の形態３＞
本発明の実施の形態３について以下に説明する。本実施の形態に係る投写型映像表示装置は、図１の投写型映像表示装置１０００である。そのため、投写型映像表示装置１０００についての詳細な説明は繰り返さない。
【０１６０】
次に、本実施の形態において、各光源アレイ４０を構成する各光源５０を制御するための処理（以下、光源制御処理Ｂともいう）以下においては、光源制御処理Ｂにおいて処理対象となる光源アレイ４０を、対象光源アレイともいう。
【０１６１】
ここで、各光源アレイ４０の定格電流Ｔ１を、Ｉｆｍａｘと表現する。定格電流Ｔ１は、光源アレイ４０の劣化速度をはやめることなく、光源アレイ４０が正常に動作するために予め定められた値である。この場合、各光源アレイ４０を構成する各光源５０の定格電流Ｔ２（Ｉｆｅｍａｘ）は、以下の式２により表現される。定格電流Ｔ２は、光源５０の劣化速度をはやめることなく、光源５０が正常に動作するために予め定められた値である。
【０１６２】
Ｉｆｅｍａｘ＝Ｉｆｍａｘ／ｍ  …（式２）
また、光源制御処理Ｂが開始される前において、各光源アレイ４０へ供給される電流を、Ｉｆ０と表現する。また、光源制御処理Ｂが開始される前において、各光源アレイ４０を構成する各光源５０へ供給される電流を、Ｉｆｅ０と表現する。この場合、電流Ｉｆｅ０は、以下の式３により表現される。
【０１６３】
Ｉｆｅ０＝Ｉｆ０／ｋ０  …（式３）
図７は、光源制御処理Ｂのフローチャートである。図７において、図６のステップ番号と同じステップ番号の処理は、実施の形態２で説明した処理と同様な処理が行われるので詳細な説明は繰り返さない。以下、実施の形態２と異なる点を中心に説明する。
【０１６４】
ここで、一例として、各光源アレイ４０を構成する光源５０の数ｍは、６であるとする。なお、光源制御処理Ｂが行われるタイミングは、実施の形態１の光源制御処理Ｎが行われるタイミングと同じである。すなわち、光源制御処理Ｂは、実施の形態１と同様に、光源アレイ４０Ｒ，４０Ｇ，４０Ｂの各々に対し、行われる。
【０１６５】
ステップＳ１１０〜Ｓ１７０の処理は、実施の形態２と同様なので詳細な説明は繰り返さない。
【０１６６】
ステップＳ１７０においてＹＥＳならば、処理はステップＳ１７１Ｂへ移行する。一方、ステップＳ１７０においてＮＯならば、処理はステップＳ１７１へ移行する。
【０１６７】
ステップＳ１７１Ｂでは、制御部３０が、ｋ＜ｋ０が満たされるか否かを判定する。すなわち、ステップＳ１７１Ｂでは、点灯光源数ｋが、対象光源アレイの初期点灯光源数ｋ０未満になったか否かを判定する。
【０１６８】
ステップＳ１７１ＢにおいてＹＥＳならば、処理はステップＳ１７２Ｂへ移行する。一方、ステップＳ１７１ＢにおいてＮＯならば、この光源制御処理Ｂは終了する。
【０１６９】
以下においては、点灯状態が正常である光源５０を、正常光源ともいう。正常光源は、対象光源アレイを構成する複数の光源のうち点灯異状光源以外の光源である。また、以下においては、点灯異状光源の数を、点灯異状光源数ｐまたはｐとも表記する。ｐは、自然数である。
【０１７０】
なお、各光源アレイ４０へ供給される電流Ｉｆ０は変らない。そのため、ｋ＜ｋ０が満たされた場合、各光源アレイ４０における各正常光源に供給される電流の量が、ｐ×Ｉｆｅ０の分だけ増加する。以下においては、ｋ＜ｋ０が満たされた状態において、各正常光源に供給される、増加された電流を、増加電流ＩｆｅまたはＩｆｅとも表記する。
【０１７１】
ステップＳ１７２Ｂでは、制御部３０が、Ｉｆｅ≦Ｉｆｅｍａｘが満たされるか否かを判定する。ステップＳ１７２ＢにおいてＹＥＳならばこの光源制御処理Ｂは終了する。一方、ステップＳ１７２ＢにおいてＮＯである場合、すなわち、Ｉｆｅ＞Ｉｆｅｍａｘの場合、処理は、ステップＳ１８０へ移行する。
【０１７２】
ステップＳ１８０では、実施の形態１と同様な処理が行われる。すなわち、制御部３０が、光源駆動回路３１を利用して、電流Ｉｆを、前述の式１により算出された電流に設定する。
【０１７３】
すなわち、増加電流Ｉｆｅが、光源５０の定格電流Ｔ２（Ｉｆｅｍａｘ）を超える場合は、増加電流Ｉｆｅは、Ｉｆｅｍａｘを超えないように制御される。また、対象光源アレイにおいて発光不能な点灯異状光源が存在しない状態で電流制御処理ＲＡが行われた場合、光源アレイ４０（対象光源アレイ）に供給される電流は、電流制御処理Ｂが行われる前の電流Ｉｆ０に戻る。
【０１７４】
すなわち、対象光源アレイにおいて点灯異状光源が存在する場合、当該点灯異状光源への電流の供給を停止（遮断）する。増加電流Ｉｆｅが、光源５０の定格電流Ｔ２（Ｉｆｅｍａｘ）以下の場合、制御部３０は、電流の制御（ステップＳ１８０の処理）を行わないことにより、各正常光源へ供給される電流の量を増加させる。
【０１７５】
これにより、各正常光源の出射光量が増加するため、光源アレイ４０の総光量の低下を抑えることができる。
【０１７６】
前述したように、増加電流Ｉｆｅが、光源５０の定格電流Ｔ２（Ｉｆｅｍａｘ）を超える場合は、増加電流Ｉｆｅは、Ｉｆｅｍａｘを超えないように制御される。すなわち、各正常光源に供給される増加電流Ｉｆｅが、光源５０の定格電流Ｔ２（Ｉｆｅｍａｘ）を超える場合は、各正常光源に供給される電流が、電流制御処理Ｂが行われる前と同じになるように、光源アレイ４０（対象光源アレイ）に供給する電流Ｉｆが、式１により得られる電流となるように制御される。
【０１７７】
ステップＳ１７１ＢにおいてＹＥＳであり、かつ、ステップＳ１７２ＢでＹＥＳの場合ステップＳ１８０の処理を行わないようにすることにより、制御部３０は、以下の処理を行うことになる。すなわち、制御部３０は、点灯異状光源が存在する場合、正常光源へ供給する電流の量を、該正常光源の定格電流を超えないように、増加させる処理を行う。これにより、光源アレイの総光量の低下を抑えることができる。
【０１７８】
以上説明したように、本実施の形態によれば、実施の形態２の処理に加え、さらに、点灯異状光源の存在に伴う増加電流Ｉｆｅが、光源５０の定格電流Ｔ２（Ｉｆｅｍａｘ）以下の場合、制御部３０は、電流の制御（ステップＳ１８０の処理）を行わないことにより、各正常光源へ供給される電流の量を増加させる。
【０１７９】
これにより、各正常光源の出射光量が増加するため、光源アレイ４０の総光量の低下を抑えることができる。その結果、投写型映像表示装置１０００が出射する映像光の明るさの変化を抑えることができる。また、投写型映像表示装置１０００が出射する映像光の色合いの変化と、複数の投写型映像表示装置間の輝度差とを抑えることができる。
【０１８０】
また、本実施の形態では、実施の形態２と同様な処理も行われるため、実施の形態２と同様な効果が得られる。
【０１８１】
（その他の変形例）
以上、本発明に係る投写型映像表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０１８２】
また、投写型映像表示装置１０００は、図１に示される全ての構成要素を含まなくてもよい。すなわち、投写型映像表示装置１０００は、本発明の効果を実現できる最小限の構成要素のみを含めばよい。
【０１８３】
また、本発明は、投写型映像表示装置１０００が備える特徴的な構成部の動作をステップとする光源制御方法として実現してもよい。また、本発明は、当該光源制御方法に含まれる各ステップをコンピュータが実行してもよい。また、本発明は、そのような光源制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１８４】
上記実施の形態で用いた全ての数値は、本発明を具体的に説明するための一例の数値である。すなわち、本発明は、上記実施の形態で用いた各数値に制限されない。
【０１８５】
また、本発明に係る光源制御方法は、図５、図６または図７のフローチャートの一部または全てに相当する。本発明に係る光源制御方法は、図５、図６または図７における、対応する全てのステップを必ずしも含む必要はない。すなわち、本発明に係る光源制御方法は、本発明の効果を実現できる最小限のステップのみを含めばよい。
【０１８６】
また、光源制御方法における各ステップの実行される順序は、本発明を具体的に説明するための一例であり、上記以外の順序であってもよい。また、光源制御方法におけるステップの一部と、他のステップとは、互いに独立して並列に実行されてもよい。
【０１８７】
なお、本発明は、その発明の範囲内において、各実施の形態を自由に組み合わせたり、各実施の形態を適宜、変形、省略することが可能である。
【符号の説明】
【０１８８】
１４  センサ、３０  制御部、３１，３１Ｒ，３１Ｇ，３１Ｂ  光源駆動回路、４０，４０Ｒ，４０Ｇ，４０Ｂ  光源アレイ、５０−１，５０−２，５０−３，５０−４，５０−５，５０−６  光源、１０００  投写型映像表示装置。
【図１】
2014229966.tif 000003
【図２】
2014229966.tif 000004
【図３】
2014229966.tif 000005
【図４】
2014229966.tif 000006
【図５】
2014229966.tif 000007
【図６】
2014229966.tif 000008
【図７】
2014229966.tif 000009